(57)【要約】      （修正有）【課題】インナーがなくともカバー同士を結合でき、組み立ての手間を省くとともにコストダウンを図る携帯機器を提供する。【解決手段】  機器本体と、この機器本体に接続され、電気的作用面を有する第１の部材１３と、機器本体に取り付けられ、電気的作用面に対向する開口部１６１を有する第２の部材１６と、機器本体の一部を覆う外装部材１、２とを有し、外装部材に、開口部に係合する突起部４１、５１を設けたことを特徴とする電子機器。【選択図】  図１
2005115212.tif 000002
【特許請求の範囲】
【請求項１】
機器本体と、この機器本体に接続され、電気的作用面を有する第１の部材と、前記機器本体に取り付けられ、前記電気的作用面に対向する開口部を有する第２の部材と、前記機器本体の一部を覆う外装部材とを有し、
前記外装部材に、前記開口部に係合する突起部を設けたことを特徴とする電子機器。
【請求項２】
前記第２の部材を前記外装部材へ付勢する付勢手段を有することを特徴とする請求項１に記載の電子機器。
【請求項３】
前記突起部は、前記外装部材の内側に突出するように凹形状に構成されており、前記第１の部材はスピーカーであり、前記外装部材のうち前記開口部に対向する領域には、複数の穴部が形成されていることを特徴とする請求項１又は２に記載の電子機器。
【発明の詳細な説明】
【技術分野】
【０００１】
本発明は、カメラ等の電子機器に関するものである。
【背景技術】
【０００２】
図５を用いて従来のカメラの構成について説明する。ここで、図５は、カメラの分解斜視図である。同図において、１０１はカメラ本体であり、このカメラ本体１０１の正面側及び背面側はそれぞれ、フロントカバー１０２及びリアカバー１０３により覆われている。これらのカバー１０２、１０３は、ステンレス等の薄板で構成されている。
【０００３】
１１０および１１１はフロントカバー１０２に溶接されたインナー部材である。そして、リアカバー１０３の内面に形成された凸部１０３ａを、インナー部材１１０に設けられた穴部１１０ａに係合させることにより、フロントカバー１０２及びリアカバー１０３がカメラ本体１０１の前後方向に開くのを防止することができる。
【０００４】
また、リアカバー１０３には、リアインナー部材１１２が設けられており、このリアインナー部材１１２とインナー部材１１１とを噛み合わせることにより、フロントカバー１０２及びリアカバー１０３がカメラ本体１０１の前後方向に開くのを防止することができる。
【発明の開示】
【発明が解決しようとする課題】
【０００５】
カメラのような携帯機器ではデザイン上の理由から機器の上面にねじを取り付けないようにしている。
【０００６】
そのため、従来のカメラでは、フロントカバー１０２及びリアカバー１０３に取り付けられたインナー部材を連結するか、あるいは一方のカバーに穴部が形成されたインナー部材を取り付け、この穴部に他方のカバーの内側に形成された凸部を嵌合させることによりカバーを取り付けていた。
【０００７】
ここで、これらのインナー部材をカバーに取り付けるためには、接着やかしめ、あるいはスポット溶接などの作業が必要となるため手間がかかっていた。また、スポット溶接する場合、カバー表面にスポット溶接の跡が残りカメラの見栄えを悪くするおそれがあった。また、カバー内側に凸形状を設けるために外面を凹ませる必要があり、カメラの見栄えを悪くする一因となっていた。
【０００８】
そこで、本発明においてはインナーがなくともカバー同士を結合でき、組み立ての手間を省くとともにコストダウンを図る携帯機器を提供することを目的とする。
【課題を解決するための手段】
【０００９】
本発明の電子機器は、機器本体と、この機器本体に接続され、電気的作用面を有する第１の部材と、前記機器本体に取り付けられ、前記電気的作用面に対向する開口部を有する第２の部材と、前記機器本体の一部を覆う外装部材とを有し、前記外装部材に、前記開口部に係合する突起部を設けたことを特徴とする。
【発明の効果】
【００１０】
本発明によれば、第１の部材の電気的作用面に対向する領域に形成された第２の部材の開口部に、突起部を係合させることにより、外装部材を電子機器本体に取り付けることができる。すなわち、第１の部材の機能を発揮させるために必要な開口部に突起部を係合させることにより、外装部材を機器本体に取り付けているため、電子機器内に突起部を係合させるための穴部を開口部とは別に設ける必要がなくなる。これにより、電子機器内のスペースを広げることが可能となり、設計の自由度を高めることができる。また、従来例のようにインナー部材を用いなくても、外装部材を電子機器本体に取り付けることができるため、組み立て作業が容易になりコストダウンをはかることができる。
【００１１】
また、付勢手段により第２の部材を外装部材に密着させることができるため、外装部材の突起部が開口部から外れるのを防止することができる。
【００１２】
さらに、突起部を外装部材の内側に突出するように凹形状に構成するとともに、第１の部材をスピーカーとして、外装部材のうち開口部に対向する領域に複数の穴部を形成することにより、突起部を複数の穴部の近傍に配置している。これにより、突起部の形状を目立たなくすることができるため、電子機器の見栄えがよくなる。
【発明を実施するための最良の形態】
【００１３】
以下、本発明の一実施例について説明する。
【実施例１】
【００１４】
図１は、本発明の実施例１であるカメラ（電子機器）の外観斜視図である。図１は、カメラ（電子機器）を正面側から見たときのカメラの分解斜視図であり、図２は、カメラを背面側から見たときのカメラの分解斜視図である。図３は、カメラ本体にカバーが取り付けられる前の状態を示し、図４はカメラ本体にカバーが取り付けられた状態を示している。
【００１５】
これらの図において、１はカメラの正面側（カメラの側面の一部を含む）を覆うフロントカバーであり、２はカメラの背面側（カメラの側面の一部を含む）を覆うリアカバーである。これらのカバー１、２は、ステンレス等の薄板で構成されている。
【００１６】
３はサイドカバーであり、フロントカバー１およびリアカバー２に装着され、フロントカバー１およびリアカバー２の一部、すなわち、カメラ本体の一方の側面（カメラ正面向かって右側の側面）と、上面および下面の一部を覆うようになっている。
【００１７】
４は撮影レンズ等を保持するレンズ鏡筒であり、光軸方向に繰り出したり繰り込んだりすることによって、撮影光学系の焦点距離を変更する。撮影光学系によって形成された被写体像は、ＣＣＤやＣＭＯＳイメージセンサ等の撮像素子（不図示）によって光電変換される。そして、撮像素子から出力された画像データは、画像処理回路で画像処理（色処理等）された後、カメラ内に収納された記録媒体に記録されたり、後述するＬＣＤパネル２６に出力されて被写体画像として表示されたりする。
【００１８】
レンズ鏡筒４は、カメラ本体に対して右側に片寄った位置に配置されている。
【００１９】
５はストラップ（不図示）を取り付けるためのストラップリングであり、フロントカバー１の前面のうちカメラ正面向かって左側に設けられている。
【００２０】
スピーカー１３（第１の部材）は、スピーカー保持部材１６（第２の部材）により保持されており、このスピーカー保持部材１６には、スピーカー１３から発せられた音声を通すための開口部１６１が形成されている。上述の構成により、スピーカー１３から発せられた音声は、開口部１６１を通って、後述するスピーカー穴部からカメラ本体の外側に流出する。
【００２１】
フロントカバー１の上面のうちカメラ前面向かって左側には、複数のスピーカー穴部４１が形成されており、これらの穴部４１のうち、４１ａ、４１ｂ、４１ｃ、４１ｄは貫通形状に構成され、４１ｅ、４１ｆ、４１ｇ、４１ｈはフロントカバー１を半抜きした有底筒形状に構成されており、フロントカバー１の内側に突出している。
【００２２】
リアカバー２の上面のうちカメラ前面向かって左側には、複数のスピーカー穴部５１が形成されており、これらの穴部５１のうち、５１ａ、５１ｂ、５１ｃ、５１ｄは貫通形状に構成され、５１ｅ、５１ｆ、５１ｇ、５１ｈはリアカバー２を半抜きした有底筒形状に構成されており、リアカバー２の内側に突出している。
【００２３】
６はベース部材であり、カメラ内に配置される各種の部品を保持する。７はバッテリー保持部材であり、カメラ内に挿入されるバッテリー８を保持する。ここで、バッテリー保持部材７およびベース部材６によってバッテリー８が収納されるスペース（バッテリーケース）が形成される。
【００２４】
バッテリー保持部材７の端部には、蓋部材９および蓋スライド部材１０とで構成される蓋ユニット１１が、軸１１ａ、１１ｂを介して回転可能に取り付けられている。すなわち、バッテリーケース内にバッテリー８を収納する場合には、まず蓋スライド部材１０を所定方向にスライド操作し、蓋部材９を軸１１ａ、１１ｂを回転軸として回転させることで、バッテリーケースの開口部を開くことができる。この状態で、バッテリー８をバッテリーケース内に収納し、蓋ユニット１１を閉じればバッテリー８の収納動作は終了する。
【００２５】
バッテリー保持部材７の上部には、操作フレキ基板１２と、特定の音声（例えば、操作音や動画撮影時の音声）を発するスピーカー１３が配置されている。操作フレキ基板１２には、撮影準備動作（撮影光学系の焦点調節動作および測光動作等）および撮影動作（撮像素子から読み出された画像データの記録）を開始させるためのレリーズＳＷ１２ａと、カメラの電源をON/OFFするための電源ＳＷ１２ｂが実装されている。
【００２６】
スピーカー１３の上方には、弾性を有するウレタンフォームなどの緩衝部材１４（付勢手段）およびカメラ外部からスピーカー１３への水の浸入を防止する撥水シート１５が配置されており、これらの部材１４、１５はスピーカー保持部材１６によってバッテリー保持部材７に固定される。
【００２７】
レリーズボタン１８および電源ボタン１９は、不図示のばね部材を介してボタン保持部材１７に保持されている。このボタン保持部材１７は、ベース部材６の腕部６ａおよびスピーカー保持部材１６によって操作フレキ１２の上部に固定されている。
【００２８】
２０は、バッテリー８の接片８ａ〜８ｃを保持する接片保持部材であり、この接片保持部材２０に形成された爪部がバッテリー保持部材７に係合することによって、バッテリー保持部材７に固定される。
【００２９】
２１はストロボ保持部材であり、被写体に照明光を照射する発光部２１ａと、発光部２１ａの背面側に配置され、照明光を照射させる際のエネルギを蓄積するコンデンサー２４とを保持する。このストロボ保持部材２１は、ベース部材６に固定される。
【００３０】
また、ストロボ保持部材２１のうち発光部２１ａからカメラ下側に延びる領域には、ストロボ回路および電源回路が実装されたフレキ基板２２が固定されている。このフレキ基板２２は、ストロボ保持部材２１に対してカメラ前後方向に配置され、各種の電気部品が実装される基板部と、これらの基板部をつなぐフレキ部とで構成されている。そして、フレキ保護部材２３は、フレキ基板２２のフレキ部を覆うように配置されている。
【００３１】
一方、フレキ基板２２の基板部のうちカメラ前側に位置する基板部は、この一端において、接片保持部材２０に保持されたバッテリー８の接片に接続されており、バッテリー８からの電力を直接電源回路に入力するように構成されている。なお、フレキ保護部材２３の一部の領域２３ａはバネ性を有しており、後述するようにサイドカバー３を組み付けた際に、サイドカバー３に対して付勢した状態で接触する。これにより、フレキ保護部材２３は、カメラの外部からサイドカバー３に加えられた衝撃をフレキ基板２２に伝達させることなく、フレキ基板２２を保護する役割を果たす。
【００３２】
２５は、ＬＣＤパネル２６およびＬＣＤ表示用の不図示のバックライトを保持するためのＬＣＤホルダーであり、引っ掛け部２５ａおよび不図示のビスによってベース部材６に固定される。なお、ＬＣＤパネル２６は、フレキシブルプリント配線基板２６ａを介して後述するメイン基板２７に実装された制御回路に接続されており、制御回路からの出力に基づいて撮影情報や撮影画像といったデータを表示する。
【００３３】
ＬＣＤホルダー２５の一端に形成された突部２５ｂは、ばね性を有しており、リアカバー２に接触するように構成されている。これにより、リアカバー２とベース部材６の通電性を確保している。ここで、リアカバー２には、ＬＣＤパネル２６をカメラ外部に露出させる穴部２ｂが形成されている。
【００３４】
２７は、カメラの制御回路や画像処理回路等が実装されたメイン基板であり、ビス２８ａ、２８ｂによってベース部材６に固定されるとともに、ビス２８ｃによってフレキ保護部材２３とともにストロボ保持部材２１に固定される。これによりフレキ保護部材２３を介してメイン基板２７とサイドカバー３の通電が確保される。
【００３５】
２９はモード切替ボタンであり、カメラ本体の左右方向にスライド操作することによってカメラの動作モードを切り替えることができる。具体的には、静止画撮影モード（ＲＥＣ ＭＯＤＥ）、動画撮影モード（ＭＯＶＩＥ ＭＯＤＥ）、再生モード（ＰＬＡＹ ＭＯＤＥ）のモード選択を行うことができる。
【００３６】
モード切替ボタン２９は、取り付け部材３０によってリアカバー２にスライド動作可能な状態で取り付けられており、モード切替ボタン２９のうちリアカバー２の内側に位置する部分には、モード接片３１がネジによって固定されている。
【００３７】
モード接片３１は、操作フレキ１２に形成された導通パターン１２ｃに接触するように構成されており、モード切替ボタン２９の操作に応じて導通パターン１２ｃ上を摺動することによって所定の信号を出力するようになっている。この出力信号は、メイン基板２７上の制御回路に送られ、制御回路は入力された信号に応じてカメラの動作モードを切り替える。
【００３８】
３２はカメラ本体の下面に配置された三脚ねじ座であり、不図示の三脚に設けられたねじと係合するネジ穴部を有している。この三脚ねじ座３２は、ビス３２ａ、３２ｂによってベース部材６に固定される。
【００３９】
３３、３４ａ、３４ｂは操作ボタンであり、操作ボタンベース部材３５に貼り付けられている。操作ボタン３３はいわゆる十字ボタンで構成されており、この十字ボタンを操作することにより、例えば、ＬＣＤパネル２６に表示された情報を上下左右方向で切り換えることができる。ここで、リアカバー２には、操作ボタン３３、３４ａ、３４ｂをカメラ外部に露出させる穴部２ｃが形成されている。
【００４０】
操作ボタンベース部材３５のうち各操作ボタン３３、３４ａ、３４ｂに対応する領域には、導電部材が貼り付けてあり、操作ボタン３３、３４ａ、３４ｂを押すと導電部材が操作フレキ１２上のパターンに接触して通電するように構成されている。この信号は制御回路に入力され、制御回路は入力信号に応じた動作を行う。
【００４１】
操作フレキ１２および操作ボタンベース部材３５は、ベース部材６に設けられた不図示のボスによってそれぞれの相対的な位置がずれないように位置決めがなされている。
【００４２】
３６はジャック基板であり、不図示の外部機器（例えば、ＰＣ、プリンタおよびＴＶ）と映像や音声を通信するためのジャックおよびＵＳＢコネクターが実装されている。
【００４３】
次に、図４を用いて、ベース部材６に上述した各種の部材を取り付けて構成された構造ユニットを、フロントカバー１、リアカバー２およびサイドカバー３で覆ってカメラを組み立てる工程について説明する。
【００４４】
ベース部材６に固定された各種の部材の調整を行った後、フロントカバー１およびリアカバー２を取り付ける。具体的には、まず、カメラ本体の前面側をフロントカバー１で覆い、フロントカバー１をビス３７によってベース部材６に固定する。このとき、フロントカバー１の内側に突出したスピーカー穴部４１ｅ、４１ｆが開口部１６１のふち１６１ｅ、１６１ｆに引っ掛かり、スピーカー穴部４１ｇ、４１ｈが、開口部１６１のふち１６１ｇに引っ掛けられる（図４参照）。
【００４５】
また、フロントカバー１には、発光部２１ａが貫通する穴部１ｃが形成されており、フロントカバー１をカメラ本体に取り付けた状態で、発光部２１ａの前面がフロントカバー１の前面に露出する。ここで、発光部２１ａの前面のうちカメラ下側の領域は、フロントカバー１の表面と連続した面で構成され、発光部２１ａの前面のうちカメラ上側の領域は、フロントカバー１の表面から突出するようになっている。
【００４６】
次に、カメラ本体の背面側をリアカバー２で覆い、リアカバー２をビス３８によってベース部材６に固定する。このとき、リアカバー２の内側に突出したスピーカー穴部５１ｅ、５１ｆが、開口部１６１のふち１６１ｅ、１６１ｆに引っ掛かり、スピーカー穴部５１ｇ、５１ｈが、開口部１６１のふち１６１ｈに引っ掛けられる。
【００４７】
このように、本実施例では、開口部１６１に対して、音声を通すための通路とフロントカバー１及びリアカバー２の取り付けという２つの役割を持たせている。これにより、突起部を係合させるための穴部を改めてカメラ本体に設ける必要がなくなるため、カメラ本体の内部空間が広がり、設計の自由度を高めることができる。
【００４８】
また、スピーカー保持部材１６は、緩衝部材１４によってカメラ上方へ付勢されるため、カバー１、２と密着する。これにより、カバー１、２の突起部がスピーカー保持部材１６の開口部１６１から外れるのを確実に防止することができる。
【００４９】
さらに、開口部１６１に引っ掛かる突起部は、カバー１，２の外面を凹ませる（半抜き）ことで形成されるが、突起部の近傍にはスピーカーから発せられた音声を通すためのスピーカー穴部が形成されており、突起部形成のための凹形状により、カメラの外観が損なわれるということはない。
【００５０】
フロントカバー１およびリアカバー２をカメラ本体に取り付けた後、カバー１、２に対してサイドカバー３を発光ユニット２１側からカメラ本体の横方向にスライドさせることで、サイドカバー３を組み込み固定する。これにより、カメラの組み立てが終了する。
【００５１】
なお、特許請求の範囲に記載した第１の部材には、例えば、電気的接続作用を有するコネクタ、電気的作用を有する液晶パネル、電気的作用を有するマイクも含まれる。
【図面の簡単な説明】
【００５２】
【図１】本発明の実施例であるカメラの前方分解斜視図。
【図２】本発明の実施例であるカメラの後方分解斜視図。
【図３】本発明の実施例であるカメラ本体にカバーを取り付ける前の状態を示した図。
【図４】本発明の実施例であるカメラ本体にカバーを取り付けた後の状態を示した図。
【図５】従来例のカメラの分解斜視図。
【符号の説明】
【００５３】
１  フロントカバー
２  リアカバー
３  サイドカバー
４  レンズ鏡筒
５  ストラップリング
６  ベース部材
７  バッテリー保持部材
８  バッテリー
９  蓋部材
１０  蓋スライド部材
１１  蓋ユニット
１２  操作フレキ基板
１３  スピーカー
１４  緩衝部材
１５  撥水シート
１６  スピーカー保持部材
１７  ボタン保持部材
１８  レリーズボタン
１９  電源ボタン
２０  接片保持部材
２１  ストロボ保持部材
２２  フレキ基板
２３  フレキ保護部材
２４  コンデンサー
２５  ＬＣＤホルダー
２６  ＬＣＤパネル
２７  メイン基板
２８ａ、２８ｂ  ビス
２９  モード切替ボタン
３０  取り付け部材
３１  モード接片
３２  三脚ねじ座
３３  十字ボタン
３４ａ、３４ｂ  操作ボタン
３５  操作ボタンベース部材
３６  ジャック基板
３７  ビス
３８  ビス
１６１  開口部
【図１】
2005115212.tif 000003
【図２】
2005115212.tif 000004
【図３】
2005115212.tif 000005
【図４】
2005115212.tif 000006
【図５】
2005115212.tif 000007